(57)【要約】【課題】簡単な部品構成によって、縦長状態又は縦長状態から表示部を左右どちらにも回転でき、横長又は縦長状態にすることができる回転ヒンジ構造及び携帯電子機器を提供する。【解決手段】表示部４と第１の筐体１とが相対的に右又は左方向に回転することにより、第１の筐体１に対して表示部４を縦長状態と横長状態との間で相互に切り替え自在な回転ヒンジ構造であって、第１の筐体１は、縦溝５４と、表示部４の所定角度以上の回転を規制する上下内壁面５１１，５１２と、を有するローターハウジング５と、表示部４と連結され、かつ、縦溝５４に連通されたピン７と連結して、ピン７が縦溝５４内を移動するとともに、ローターハウジング５に対して右又は左方向に回転自在に設けられたローター６と、ローター６とローターハウジング５とを連結し、表示部４が縦長又は横長状態を保持するようにローター６を縦溝５４に対して付勢するバネ８と、を備える。【選択図】図１
2009111694.tif 000002
【特許請求の範囲】
【請求項１】
表示部と、
前記表示部が設けられた第１の筐体と、を備え、
前記表示部と前記第１の筐体とが相対的に右方向又は左方向に回転することによって、前記第１の筐体に対して前記表示部を縦長状態と横長状態との間で相互に切り替え自在な回転ヒンジ構造であって、
前記第１の筐体は、
上下に延在する縦溝と、前記表示部の所定角度以上の回転を規制する回転規制部と、を有する回転支持部と、
前記表示部と連結され、かつ、前記縦溝に連通されたピンと連結して、前記ピンが前記縦溝内を移動するとともに、前記回転支持部に対して右方向又は左方向に回転自在に設けられたカム部材と、
前記カム部材と前記回転支持部とを連結し、前記表示部が前記縦長状態又は前記横長状態を保持するように、前記カム部材を前記縦溝に対して付勢する弾性部材と、を備え、
前記縦長状態又は前記横長状態から、前記弾性部材の付勢力に抗して前記表示部を右方向又は左方向に回転させることによって、前記縦溝に沿って前記ピンが上下方向に移動するとともに、前記カム部材が前記回転規制部によって回転が規制されて前記横長状態又は前記縦長状態に保持されることを特徴とする回転ヒンジ構造。
【請求項２】
前記カム部材は、右方向の回転時に前記回転規制部に接触して回転規制される第２の接触部及び第４の接触部と、左方向の回転時に前記回転規制部によって接触して回転規制される第１の接触部及び第３の接触部と、を備え、
前記右方向の回転時に前記第１の接触部及び前記第３の接触部は前記回転規制部に接触せずに、
前記左方向の回転時に前記第２の接触部及び前記第４の接触部は前記回転規制部に接触しないことを特徴とする請求項１に記載の回転ヒンジ構造。
【請求項３】
前記回転規制部には、前記カム部材の外周面に係合する係合部が設けられ、
前記縦長状態及び前記横長状態の時に、前記カム部材の外周面と前記係合部とが係合することを特徴とする請求項１又は２に記載の回転ヒンジ構造。
【請求項４】
請求項１〜３のいずれか一項に記載の回転ヒンジ構造と、
操作部が設けられた第２の筐体と、
前記第１の筐体と前記第２の筐体とを折り畳み開閉自在に連結するヒンジ部と、を備えたことを特徴とする携帯電子機器。
【発明の詳細な説明】
【技術分野】
【０００１】
本発明は、表示部を縦長状態と横長状態との間で切り替え自在な回転ヒンジ構造及び携帯電子機器に関する。
【背景技術】
【０００２】
表示部が設けられた第２の筐体と操作部が設けられた第２の筐体とをヒンジ部で折り畳み自在に連結した折り畳み式携帯電話機において、第一の筐体に対して表示部が、縦長状態と、縦方向ガイド溝に沿って第２ガイドピンが移動するとともに、左右方向ガイド溝に沿って第２ガイドピンが移動することによって右方向に回転して横長状態に切り替えられるようにしたものがある（例えば、特許文献１参照）。
また、表示部を左又は右に９０度回転させ、この回転に応じて表示状態を自動的に変更するようにしたものもある（例えば、特許文献２参照）。
【特許文献１】特開２００６−２１１５７６号公報
【特許文献２】特開平９−１５９４６７号公報
【発明の開示】
【発明が解決しようとする課題】
【０００３】
しかしながら、上記特許文献１の折り畳み式携帯電話機では、右回転しか考慮されておらず、利き手に応じて左回転させることができないという問題がある。また、上記特許文献２では、表示部の回転は左右共にできるように記載されているが、その機構がどのようなものであるかは開示されていない。
本発明は、上記事情に鑑みてなされたもので、簡単な部品構成によって、縦長状態又は縦長状態から表示部を左右どちらにも回転できて、横長状態又は縦長状態にすることができる回転ヒンジ構造及び携帯電子機器を提供することを目的としている。
【課題を解決するための手段】
【０００４】
上記課題を解決するため、請求項１の発明は、表示部と、
前記表示部が設けられた第１の筐体と、を備え、
前記表示部と前記第１の筐体とが相対的に右方向又は左方向に回転することによって、前記第１の筐体に対して前記表示部を縦長状態と横長状態との間で相互に切り替え自在な回転ヒンジ構造であって、
前記第１の筐体は、
上下に延在する縦溝と、前記表示部の所定角度以上の回転を規制する回転規制部と、を有する回転支持部と、
前記表示部と連結され、かつ、前記縦溝に連通されたピンと連結して、前記ピンが前記縦溝内を移動するとともに、前記回転支持部に対して右方向又は左方向に回転自在に設けられたカム部材と、
前記カム部材と前記回転支持部とを連結し、前記表示部が前記縦長状態又は前記横長状態を保持するように、前記カム部材を前記縦溝に対して付勢する弾性部材と、を備え、
前記縦長状態又は前記横長状態から、前記弾性部材の付勢力に抗して前記表示部を右方向又は左方向に回転させることによって、前記縦溝に沿って前記ピンが上下方向に移動するとともに、前記カム部材が前記回転規制部によって回転が規制されて前記横長状態又は前記縦長状態に保持されることを特徴とする。
【０００５】
請求項２の発明は、請求項１に記載の回転ヒンジ構造において、
前記カム部材は、右方向の回転時に前記回転規制部に接触して回転規制される第２の接触部及び第４の接触部と、左方向の回転時に前記回転規制部によって接触して回転規制される第１の接触部及び第３の接触部と、を備え、
前記右方向の回転時に前記第１の接触部及び前記第３の接触部は前記回転規制部に接触せずに、
前記左方向の回転時に前記第２の接触部及び前記第４の接触部は前記回転規制部に接触しないことを特徴とする。
【０００６】
請求項３の発明は、請求項１又は２に記載の回転ヒンジ構造において、
前記回転規制部には、前記カム部材の外周面に係合する係合部が設けられ、
前記縦長状態及び前記横長状態の時に、前記カム部材の外周面と前記係合部とが係合することを特徴とする。
【０００７】
請求項４の発明は、携帯電子機器において、
請求項１〜３のいずれか一項に記載の回転ヒンジ構造と、
操作部が設けられた第２の筐体と、
前記第１の筐体と前記第２の筐体とを折り畳み開閉自在に連結するヒンジ部と、を備えたことを特徴とする。
【発明の効果】
【０００８】
本発明によれば、簡単な部品構成によって表示部を右方向又は左方向のどちらにも回転させることができ、縦長状態と横長状態の切り替えをスムーズに行うことができる。
【発明を実施するための最良の形態】
【０００９】
以下、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
図１は、本発明を適用する携帯電子機器として折り畳み式携帯電話機１００を示すものであり、折り畳み式携帯電話機１００は、第１の筐体１と第２の筐体２とがヒンジ部３を介して折り畳み開閉自在に連結されている。第２の筐体２にはキー操作部２１が設けられ、第１の筐体１には別体の表示部４が回転ヒンジ構造を介して設けられている。
図１(a)は、第１の筐体１と第２の筐体２をヒンジ部３で折り畳んで重ねた折り畳み状態の斜視図、(b)は、第１の筐体１と第２の筐体２をヒンジ部３で開いた状態で、表示部４を縦長状態とした斜視図、(c)は、(b)の状態から表示部４を左方向に回転させて横長状態とした斜視図である。
【００１０】
図２は、回転ヒンジ構造の一実施形態の構成として表示部４、第２の筐体２を分解した分解斜視図、図３は、表示部４、第１の筐体１のフロントケース１１及びローター６の分解斜視図である。
第１の筐体１は、折り畳んだ際に内側（キー操作部２３側）に位置するフロントケース１１と、外側に位置するリアケース１２とを備えている。フロントケース１１は、平板状をなし、リアケース１２は外側に向けて窪んだ略箱状をなしている。そして、フロントケース１１とリアケース１２とを互いに接合することによって第１の筐体１が構成されている。
フロントケース１１とリアケース１２とを接合することによって形成される空間内には、フロントケース１１の表面上で表示部４を回転自在とするローターハウジング（回転支持部）５及びローター（カム部材）６が収容されている。また、上記空間内には、表示部４への配線（図８の矢印参照）やスピーカ（図示しない）等が収容されている。
第２の筐体２も、折り畳んだ際に内側に位置するフロントケースと、外側に位置するリアケースとを備え、フロントケースには操作キー群２２を露出する操作キー孔群２３が形成されており、フロントケースとリアケースとを接合することによって形成される空間内には、操作キー群２２や、図示しないが折り畳み式携帯電話機１００全体を制御するメインプロセッサ等が設けられた回路基板を支持する中ケース、キーシート、マイク、バッテリー、カメラユニット等が収容されている。
【００１１】
図４は、ローター６、ローターハウジング５、ピン７及びバネ８の分解斜視図、図５(a)は、ローター６及びローターハウジング５をピン７によって固定し、ローターハウジング５の表面側から見た際の平面図、図５(b)は切断線V−Vに沿って切断した際の矢視断面図、図５(c)は図５(b)の要部拡大図である。
また、図６は、折り畳み式携帯電話機１００を折り畳んだ状態で、第１の筐体１のリアケース１２を取り外した際の斜視図、図７は図６の平面図である。なお、以下の説明において上下方向や左右方向とは図５(a)を基準として説明する。
ローターハウジング５は、上側に向けて凸となるような山形状のプレートであり、その表面に凹部５１が形成されている。凹部５１の平面形状は、その下端部を除いて、ローターハウジング５の外形に略沿って上側に向けて凸となる山形状に形成されている。凹部５１を形成する内壁面のうち下端部の内壁面（回転規制部）５１１は、上向きに凸となるように円弧状に形成されている。そして、右方向に回転する際に、下端部内壁面５１１に、後述のローター６の第２の接触部６２が接触することによって回転が規制され、上端部内壁面（回転規制部）５１２には、第４の接触部６４が接触することによって回転が規制される。また、左方向に回転する際には、下端部内壁面５１１に第１の接触部６１が接触することによって回転が規制され、上端部内壁面５１２には第３の接触部６３が接触することによって回転が規制される。
また、下端部内壁面５１１は、ローター６の外周面６５，６６，６７に係合する係合部５１１aとされている。また、凹部５１を形成する内壁面のうち左側の内壁面で、かつ、上端部内壁面５１２を除く部分には、右方向に回転する際にローター６の第１の接触部６１が挿入され、左方向に回転する際に第４の接触部６４が挿入されるスリット部５２が形成されている。さらに、スリット部５２に対向する右側の壁部は、右方向に回転する際にローター６の第３の接触部６３がその表面上に乗り上げて移動し、左方向に回転する際に第２の接触部６２が乗り上げて移動できるように、他の壁部（左側の壁部、下端部壁部や上端部壁部）に比べて高さが低くなっており、段差部５３が形成されている。この段差部５３の長さと、スリット部５２の長さとは略等しい長さとされている。
また、凹部５１の略中央の底面には、後述のピン７が移動することによってローター６を回転可能とする上下に長い縦溝５４が形成されている。
なお、ローターハウジング５の上端部には、ローターハウジング５とフロントケース１１とをネジＮ１，Ｎ１によって固定するネジ穴５５，５５が左右にそれぞれ形成されている。また、ローターハウジング５の下端部には、ローターハウジング５とフロントケース１とをネジＮ２によって固定するネジ穴５６a、フロントケース１１とリアケース１２とをネジＮ３，Ｎ３によって固定するネジ穴５６b，５６bが形成されている。
【００１２】
ローター６は、平面視略Ｘ字形の板状をなし、左下、右下、右上及び左上にそれぞれ延出し、ローターハウジング５の凹部５１を形成する内壁面（具体的には凹部５１を形成する上端部内壁面５１２や下端部内壁面５１１）に接触することによって回転が規制される第１の接触部６１、第２の接触部６２、第３の接触部６３及び第４の接触部６４が形成されている。第１の接触部６１と第４の接触部６４との間の外周面６５は、ローターハウジング５の係合部５１１aに沿って同形状に円弧状に形成され、係合部５１１aに係合可能とされている。第２の接触部６２と第３の接触部６３との間の外周面６６や、第１の接触部６１と第２の接触部６２との間の外周面６７も、ローターハウジング５の係合部５１１aに沿って同形状に円弧状に形成され、係合部５１１aに係合可能とされている。そのため、表示部４を右方向又は左方向に回転させて横長状態とした場合に、係合部５１１aにローター６の外周面６５又は外周面６６が係合して回転移動が停止されるようになっている。また、表示部４を縦長状態とした場合にも、係合部５１１aにローター６の外周面６７が係合して回転移動が停止されるようになっている。このように、係合部５１１aによって、ローター６は、図５(a)の状態から右方向にも左方向にも９０度以上の回転ができないように規制されている。
また、第１〜第４の接触部６１〜６４（点Ｍa、Ｍｂ、Ｍｃ、Ｍｄ）は、後述するが図１１(a)に示す表示部４の二つの対角線上において、中心点Ａと表示部４のコーナー部である各点Ｐ１〜Ｐ４との間の中点に位置するようになっている。
【００１３】
また、ローター６の略中央には、ピン７が挿入されるピン穴６８が形成され、ピン穴６８の下側には、ローター６と表示部４とを固定するネジ穴６９，６９，…が形成されている。ネジ穴６９に挿通されたネジＮ４は、表示部４側に予め固定されたボス４１（図３参照）により止着されるようになっている。
ローター６とローターハウジング５とは、ピン７が縦溝５４に挿通されることによって互いに固定されている。ピン７は、縦溝５４から抜けないようにローターハウジング５の裏面で固定される固定板７１と、固定板７１に形成されて縦溝５４及びローター６のピン穴６７に挿通されるピン部７２と、ピン部７２の先端に形成されてピン穴６８に係止する係止部７３と、から構成されている。したがって、ピン部７２を、縦溝５４及びピン穴６７に挿通させて、係止部７３でピン穴６８に係止させることにより固定されている。また、固定板７１の裏面とローターハウジング５の裏面とは、左右にそれぞれバネ８，８によって接続されており、ピン７を縦溝５４の下方向へ常に付勢している。すなわち、バネ８の一端部８１が固定板７１の裏面に固定され、他端部８２がローターハウジング５の裏面に固定されている。
【００１４】
図８は図７の切断線VIII−VIIIに沿って切断した際の矢視断面図である。
表示部４への配線経路は、図８の矢印で示すように、第２の筐体２内に設けられた回路基板（図示しない）からヒンジ部３内を介して第１の筐体１のリアケース１２とフロントケース１１との間の空間を通って、ピン７のピン部７２内に挿通されて表示部４側に引き出されて接続されている。
【００１５】
図９(a)〜(c)は、表示部４を右方向に回転させた場合のローター６の回転移動を示した図であり、図１０(a)〜(c)は、表示部４を左方向に回転させた場合のローター６の回転移動を示した図である。
まず、表示部４を右方向に回転させた場合の動作について説明する。
図９(a)は、表示部４が縦長状態であり、このとき第１の接触部６１及び第２の接触部６２はローターハウジング５の凹部５１を形成する下端部内壁面５１１に接触するとともに、第１の接触部６１と第２の接触部６２との間の外周面６７と係合部５１１aとが係合している。また、第３の接触部６３は、段差部５３近傍の内壁面に当接し、第４の接触部６４はスリット部５２の入口近傍の内壁面に当接している。これによってローター６の移動が停止され、表示部４が縦長状態に保持されている。
図９(b)は、図９(a)の状態から、右方向に９０度回転させる途中の状態を示しており、バネ８の付勢力に抗して右方向に回転させると、ピン７は縦溝５４の上端部に移動するとともに、第１の接触部６１はスリット部５２内に挿入され、第２の接触部６２は下端部内壁面５１１に沿って移動する。第３の接触部６３は段差部５３に乗り上げて段差部５３上を移動し、第４の接触部６４は上端部内壁面５１２に沿って移動する。このとき、第２の接触部６２と第４の接触部６４とが下端部内壁面５１１及び上端部内壁面５１２に接触しているので、これによってローター６の移動が規制されている。
図９(c)は、図９(b)の状態から、右方向にさらに回転させて表示部４を横長状態とした場合である。このとき、バネ８の付勢力によってピン７は縦溝５４の下端部に移動するとともに、第１の接触部６１はスリット部５２の内壁面に当接し、第２の接触部６２は下端部内壁面５１１の左端部に移動する。第３の接触部６３は下端部内壁面５１１の右端部に移動し、第４の接触部６４は段差部５３の内壁面に当接する。これによってローター６の移動が停止され、表示部４が横長状態に保持される。
【００１６】
次に、表示部４を左方向に回転させた場合の動作について説明する。
図１０(a)は、図９(a)と同様に表示部４が縦長状態に保持されている。
図１０(b)は、図１０(a)の状態から、左方向に９０度回転させる途中の状態を示しており、バネ８の付勢力に抗して左方向に回転させると、ピン７は縦溝５４の上端部に移動するとともに、第１の接触部６１は下端部内壁面５１１に沿って移動し、第２の接触部６２は段差部５３に乗り上げて段差部５３上を移動する。第３の接触部６３は上端部内壁面５１２に沿って移動し、第４の接触部６４はスリット部５２内に挿入される。このとき、第１の接触部６１と第３の接触部６３とが下端部内壁面５１１及び上端部内壁面５１２に当接しているので、これによってローター６の移動が規制されている。
図１０(c)は、図１０(b)の状態から、左方向にさらに回転させて表示部４を横長状態とした場合である。このとき、バネ８の付勢力によってピン７は縦溝５４の下端部に移動するとともに、第１の接触部６１は、図１０(b)の状態から、左方向にさらに回転させて表示部４を横長状態とした場合である。このとき、バネ８の付勢力によってピン７は縦溝５４の下端部に移動するとともに、第１の接触部６１は下端部内壁面５１１の右端部に移動し、第２の接触部６２は段差部５３の内壁面に当接する。第３の接触部６３はスリット部５２の内壁面に接触し、第４の接触部６４は下端部内壁面５１１の左端部に移動する。これによってローター６の移動が停止され、表示部４が横長状態に保持される。
【００１７】
ここで、ローター６の第１〜第４の接触部６１〜６４における軌跡について説明する。図１１(a)〜(c)は、表示部４及びローター６の軌跡を示した図であり、図１１(a)は、表示部４が縦長状態の場合であり、図１１(b)は、表示部４を右方向に９０度回転させる際の軌跡、図１１(c)は、表示部４を左方向に９０度回転させる際の軌跡を示している。例えば、図１１(b)中、「Ｍａ−４５°」とは、左方向に表示部を４５°回転させた場合の点Ｍａの位置を示している。
図１１(a)〜(c)において、ローター６の第１の接触部６１を点Ｍａとし、第２接触部６２を点Ｍｂ、第３の接触部６３を点Ｍｃ、第４の接触部６４を点Ｍｄとして説明する。点線ｍは表示部４の左右方向の中心線、点線ｎは表示部４の上下方向の中心線、点Ａは中心線ｍと中心線ｎとの交点、円Ｃは点Ｍａ又は点Ｍｂの軌道円、点Ｏは円Ｃの中心点、曲線Ｑは点Ｍｃの軌跡、曲線Ｒは点Ｍｄの軌跡を示している。また、点Ｍａは点Ａと点Ｐ１との間の中点、点Ｍｂは点Ａと点Ｐ２との間の中点、点Ｍｃは点Ａと点Ｐ３との間の中点、点Ｍｄは点Ａと点Ｐ４との間の中点である。
図１１(a)から右方向に９０度回転させる場合、点Ｍｂは円Ｃの円周上を左方向に９０度移動し、点Ｍｄは曲線Ｑ上を右方向に移動する。
図１１(a)から左方向に９０度回転させる場合、点Ｍａは円Ｃの円周上を右方向に９０度移動し、点Ｍｃは曲線Ｒ上を左方向に移動する。
このように、点Ｍａ及び点Ｍｂはともに点Ｏを中心とした円Ｃの円周上を移動し、点Ｍｃ及び点Ｍｄはともに左右方向の中心線ｍで線対称な曲線軌道を移動し、右方向の回転と左方向の回転で点Ｍａと点Ｍｂ、点Ｍｃと点Ｍｄは同じ軌道を通る。
【００１８】
以上のように本発明の実施の形態によれば、縦長状態から、バネ８の付勢力に抗して表示部４を右方向又は左方向に回転させることによって、縦溝５４に沿ってピン７が上下方向に移動するとともに、ローター６の第一及び第三の接触部６１，６３又は第二及び第四の接触部６２，６４がローターハウジング５の凹部５１を形成する下端部内壁面５１１及び上端部内壁面５１２に接触することによって回転が規制され、その後、ローター６の外周面６５又は外周面６６がローターハウジング５の係合部５１１aに係合することによって横長状態に保持される。また、横長状態から、同様に右方向又は左方向に回転させることによって、第一及び第三の接触部６１，６３又は第二及び第四の接触部６２，６４が下端部内壁面５１１及び上端部内壁面５１２に接触することによって回転が規制され、その後、ローター６の外周面６７が係合部５１１aに係合することによって縦長状態に保持される。このように簡単な部品構成によって表示部４を右方向又は左方向のどちらにも回転させることができ、縦長状態と横長状態の切り替えをスムーズに行うことができる。
また、ローター６は、第１〜第４の接触部６１〜６４を備え、右方向の回転時に第２及び第４の接触部６２，６４が下端部内壁面５１１及び上端部内壁面５１２に接触し、第１の接触部６１はスリット部５２内に挿入され、第３の接触部６３は段差部５３上に乗り上げられて、上記内壁面５１１，５１２には接触せずにフリーな状態とされる。そして、左方向の回転時に第１及び第３の接触部６１，６３が下端部内壁面５１１及び上端部内壁面５１２に接触し、第４の接触部６４はスリット部５２内に挿入され、第２の接触部６２は段差部５３上に乗り上げられて、上記内壁面５１１，５１２には接触せずにフリーな状態とされる。このようにローター６の四つの接触部６１〜６４のうちピン７を中心とした点対称の関係となる１組の２点が接触し、他の２点がフリーな状態となるので、単純な構成で右方向又は左方向の回転をスムーズに行うことができる。
さらに、ローターハウジング５にはローター６の外周面６５，６６，６７に係合する係合部５１１aが設けられ、縦長状態及び横長状態の時に、ローター６の外周面６５，６６，６７のいずれかと係合部５１１aとが係合するので、縦長状態及び横長状態で停止されて、その状態を確実に保持することができる。
また、折り畳み式携帯電話機１００は、上述の回転ヒンジ構造と、操作キー部２３が設けられた第２の筐体２と、第１の筐体１と第２の筐体２とを折り畳み開閉自在に連結するヒンジ部３と、を備えるので、操作者が右利きでも左利きの場合でも容易に回転させて操作することができる。
【００１９】
なお、本発明は上記実施の形態に限定されるものではなく、その要旨を逸脱しない範囲で適宜変更可能である。
例えば、上記実施の形態では携帯電子機器として折り畳み式携帯電話機１００を適用したが、折り畳み式に限るものではなく、第１の筐体１と第２の筐体２とを相対的にスライドさせるもので右方向あるいは左方向に回転させて縦長状態から横長状態に切り替えるような構成としても良い。また、折り畳み式やスライド式以外に、表示部４と操作キー部２３とが同一平面上にあるストレートタイプの携帯電話機に本発明を適用しても良い。
また、その他、デジタルカメラ、ビデオカメラ、ＰＤＡ、ノートパソコン、ウェラブルパソコン、電卓、電子辞書等の携帯電子機器全てに用いることができる。
【００２０】
また、表示部４及びローター６を下方向に付勢する手段としてバネ８以外に、ゴム等の弾性部材を使用しても良いし、その他具体的な細部構造等についても適宜変更可能なことは勿論である。
また、ローターの形状はＸ字形以外にもＹ字形、その他の形状にしてもよく、この場合ローターハウジングの形状をローターの形状に合わせて変更すればよい。
【図面の簡単な説明】
【００２１】
【図１】(a)は、第１の筐体１と第２の筐体２をヒンジ部３で折り畳んで重ねた折り畳み状態の斜視図、(b)は、第１の筐体１と第２の筐体２をヒンジ部３で開いた状態で、表示部４を縦長状態とした斜視図、(c)は、(b)の状態から表示部４を左方向に回転させて横長状態とした斜視図である。
【図２】図２は、回転ヒンジ構造の一実施形態の構成として表示部４、第２の筐体２を分解した分解斜視図である。
【図３】表示部４、第１の筐体１のフロントケース１１及びローター６の分解斜視図である。
【図４】ローター６、ローターハウジング５、ピン７及びバネ８の分解斜視図である。
【図５】(a)は、ローター６及びローターハウジング５をピン７によって固定し、ローターハウジング５の表面側から見た際の平面図、(b)は切断線V−Vに沿って切断した際の矢視断面図、(c)は(b)の要部拡大図である。
【図６】折り畳み式携帯電話機１００を折り畳んだ状態で、第１の筐体１のリアケース１２を取り外した際の斜視図である。
【図７】図６の平面図である。
【図８】図７の切断線VIII−VIIIに沿って切断した際の矢視断面図である。
【図９】(a)〜(c)は、表示部４を右方向に回転させた場合のローター６の回転移動を示した図である。
【図１０】(a)〜(c)は、表示部４を左方向に回転させた場合のローター６の回転移動を示した図である。
【図１１】(a)〜(c)は、表示部４及びローター６の軌跡を示した図であり、(a)は、表示部４が縦長状態の場合であり、(b)は、表示部４を右方向に９０度回転させる際の軌跡、(c)は、表示部４を左方向に９０度回転させる際の軌跡を示している。
【符号の説明】
【００２２】
１  第１の筐体
２  第２の筐体
３  ヒンジ部
４  表示部
５  ローターハウジング（回転支持部）
６  ローター（カム部材）
７  ピン
８  バネ（弾性部材）
２１  キー操作部
５４  縦溝
６１  第１の接触部
６２  第２の接触部
６３  第３の接触部
６４  第４の接触部
６５，６６，６７  外周面
１００  折り畳み式携帯電話機
５１１  下端部内壁面（回転規制部）
５１２  上端部内壁面（回転規制部）
５１１a  係合部
【図１】
2009111694.tif 000003
【図２】
2009111694.tif 000004
【図３】
2009111694.tif 000005
【図４】
2009111694.tif 000006
【図５】
2009111694.tif 000007
【図６】
2009111694.tif 000008
【図７】
2009111694.tif 000009
【図８】
2009111694.tif 000010
【図９】
2009111694.tif 000011
【図１０】
2009111694.tif 000012
【図１１】
2009111694.tif 000013